(57)【要約】【課題】  一枚のサポーターが用途に応じ、姿勢・背部骨盤腰など多目的に使用できる。調整ベルトを長くしたり短く調整する事で要望に答えてくれる一枚二役タスケを提供します。【解決手段】背部骨盤腰の中心部位を当てる（１）（２）のクッションパットを設ける。（１）の左右から（４）（６）のベルトが（２）から左右に（５）（７））のベルトがこれらが輪になって一体化されており（４）（５）のベルトの先端には（８）のマジックが設置され（６）（７）のベルトの先端の裏面には（１６）のマジック止を設置し（８）と（１６）は接続出来る（１）からは下方に（１４）のベルト通しの中を通り抜ける。（３）の調整ベルトの裏面には（１５）のマジックが設置され用途に応じ（１２）（１３）のマジック止に接続できる。（２）から左右に（９）（１０）の補強ベルトが伸び（９）の先端に（１１）のマジックが設置されており（１０）の補強ベルトの裏面に（１７）のマジック止めを設置し（１１）（１７）を接続できる。本発明は、上記の構成よりなる、一枚二役タスケである。【特許請求の範囲】
【請求項１】
このサポーターは（３）の部位を（１４）のベルト通しを利用し上下に調整する事で一枚のサポーターが姿勢背部と骨盤腰部と二役の用途を果たす。ベルトに早変わりするのである。
姿勢背部を目的に装着する場合（１４）のベルト通しを（３）の調整ベルトの下方まで下げて（１５）のマジックを（１３）のマジック止めに接続する。
（１）の部位は背中の中央上部にあて（２）の部位は背骨中心をあてる様にし右腕を（４）（５）のベルトの間から入れて左腕は（６）（７）のベルトの間から入れて背中に背負う様にする。
（８）のマジックの部位を（１６）のマジック止めに接続する。更に（９）（１０）の補強ベルトを下に引っ張って背中を伸ばし腹部の所で（８）のマジック部位を（１６）のマジック止めに接続する事で背筋や肋骨を固定する。
骨盤腰を目的に装着する場合（３）の調整ベルトを（１４）のベルト通しを（１）のパット部位に近づける様に上方まで上げて（１５）のマジックを（１２）のマジック止めに接続したり（（１３）に接続する事でベルトが用途に応じ幅調整が出来るので腰、骨盤と幅広く使用できる。
【発明の詳細な説明】
【発明の詳細な説明】
【技術分野】
【０００１】このサポーターは一枚のサポーターが裏面の調整ベルトを長く調整する事によって姿勢背部に加わる防止固定の役割を果たすサポーターになり又後部の調整ベルトを短く調整する事によって骨盤、腰えの負担軽減や衝撃吸収など目的とする。一枚のサポーターが後部の調整ベルトを長くしたり短くし調整する事でワンタッチで二役の役割を果たす。
姿勢背部、骨盤、腰部ベルト一枚二役タスケに関するものである。
【背景技術】
【０００２】    今まで多くの姿勢ベルトや骨盤、腰ベルトなどがあった。
【発明が解決しようとする課題】
【０００３】    今まで姿勢、骨盤、腰ベルト等目的に応じ個々に選んでいた。一枚のサポーターが姿勢背部、骨盤、腰など目的に応じ簡単調整で二役を果たすとても便利なサポーターである。
【課題を解決するための手段】
【０００４】    腰、骨盤、背部の上部の中心部位をあてる（１）を設ける。（１）からは（４）（５）（６）（７）のベルトが一体化され、（４）（５）のベルトの先端に（８）のマジックが設置され裏面の（１６）のマジック止めに接続又（１）から下方に（３）の調整ベルトが設置され（３）の調整ベルトは裏面の（１４）ベルト通しの中を通って（３）の調整ベルトの先端に（１５）のマジックが設置され骨盤腰ベルトとして用いる場合（１５）のマジックを（１２）のマジック止めに接続。
姿勢背部ベルトとして用いる場合（１５）マジックを（１３）のマジック止めに接続する。（１３）のマジック止めの左右から（９）（１０）の補強ベルトが接続され（１１）のマジックを（１７）のマジック止めに接続できる。
本発明は上記の構成よりなる姿勢背部、骨盤腰部ベルト一枚二役タスケである。
【発明の実地の形態】
【０００５】    骨盤、腰、背中の上部中心部位をあてる（１）パットが設置され（１）から（４）（５）（６）（７）のベルトが一つの輪として形成されている。この（１）パットの下方から輪の中心を下方に下がる。（３）調整ベルトが（１４）ベルト通しの中を通り抜ける。骨盤、腰用として用いる場合（１５）のマジックを（１２）のマジック止めに接続する。このベルトを骨盤、腰に巻いて（１）のパットを骨盤、腰中心部にあて（４）（５）と（６）（７）のベルトを左右に引っ張り（８）のマジックを（１６）のマジック止めに接続する。更に（９）（１０）の補強ベルトを左右に引っ張って（１１）のマジックを（１７）のマジック止めに接続する事で骨盤、腰の安定に役立つ。
姿勢背部ベルトとして用いる場合（１５）のマジックを（１３）のマジック止めに接続。調整ベルトが長くなる事で姿勢背部ベルトとして用いる事ができる。（３）の調整ベルトは背骨の中心にあてる様にする。装着方法は右腕を（４）（５）のベルトの間から入れて左腕は（６）（７）のベルトの間から入れて背中に背負う。（８）のマジック部位と（１６）のマジック止めを左右に引っ張り胸部に接続し（９）（１０）の補強ベルトは背部を伸ばすため（９）（１０）を下方に引っ張り丁度良い所で腹部（１１）マジックを（１７）のマジック止めに接続する。
姿勢背部、胸部、肋骨が固定され、激しい動きに対し安定保護に役立つ。
本発明は、上記の構造からなり、骨盤、腰ベルトとして使用する場合（３）の調整ベルトを短くし（１５）のマジックを（１２）のマジック止めに接続し姿勢背部ベルトとして使用する場合（３）の調整ベルトを長くし（１５）のマジックを（１３）のマジック止めに接続する。
この様にベルト裏面の調整ベルトの長短調整する事で多目的一枚二役の役割を果たす事ができる。
【発明の効果】
【０００６】一枚のサポーターが姿勢背部ベルトと骨盤腰ベルトとして、装着できるベルトは見つからない。このベルトは裏面にある調整ベルトを調整する事で、姿勢背部や骨盤腰ベルトとして、用途に応じ早変わりできる。姿勢背部ベルトとして用いるとき、ほとんどの姿勢ベルトは、背部を重視しているが、このベルトは、一度胸部を固定してから、背部を伸ばし補強ベルトで更に安定するので、良い姿勢につながる。また日常動作に置いて、背部に負担が加わる動作も多く健康維持や予防に役立つ、又二つのクッションパットは背部上部と背部下部のせぼねを保護し負担を軽減する。骨盤腰ベルトとして用いる時、ベルトが上下二つに分かれているので、中腰動作やしゃがみ動作などでベルトがズレにくく又骨盤腰部の中心に二つのクッションパットが負担や衝撃に対して役立つと考える。
本発明は上記の構成よりなる一枚二役タスケである。
【選択図】
【図面の簡単な説明】
【図１】
2014087579.tif 000002
【図２】
2014087579.tif 000003
【図３】
2014087579.tif 000004
【図４】
2014087579.tif 000005
【符号の説明】１  上クッションパット                          １０  補強ベルト
２  下クッションパット                          １１  マジック
３  調整ベルト                                  １２  マジック止め
４  右上ベルト                                  １３  マジック
５  右下ベルト                                  １４  ベルト通し
６  左上ベルト                                  １５  マジック
７  左下ベルト                                  １６  マジック止め
８  マジック                                    １７  マジック止め
９  補強ベルト
【手続補正書】
【提出日】平成25年1月7日(2013.1.7)
【手続補正１】
【補正対象書類名】明細書
【補正対象項目名】全文
【補正方法】変更
【補正の内容】
【発明の詳細な説明】
【技術分野】
【０００１】このサポーターは一枚のサポーターが裏面の調整ベルトを長く調整する事によって姿勢背部に加わる防止固定の役割を果たすサポーターになり又後部の調整ベルトを短く調整する事によって骨盤、腰への負担軽減や衝撃吸収など目的とする。一枚のサポーターが後部の調整ベルトを長くしたり短く調整する事でワンタッチで二役の役割を果たす。
姿勢背部、骨盤、腰部ベルト一枚二役タスケに関するものである。
【背景技術】
【０００２】今まで多くの姿勢ベルトや骨盤、腰ベルトなどがあった。
【発明が解決しようとする課題】
【０００３】今まで姿勢、骨盤、腰ベルト等目的に応じ個々に選んでいた。一枚のサポーターが姿勢背部、骨盤、腰など目的に応じ簡単調整で二役を果たすとても便利なサポーターである。
【発明が解決しようとする課題】
【０００４】腰、骨盤、背部の上部の中心部位をあてる（１）を設ける。（１）からは（４）（５）（６）（７）のベルトが一体化され、（４）（５）のベルトの先端に（８）のマジックが設置され裏面の（１６）のマジック止めに接続又（１）から下方に（３）の調整ベルトが設置され（３）の調整ベルトは裏面の（１４）ベルト通しの中を通って（３）の調整ベルトの先端に（１５）のマジックが設置され、骨盤腰ベルトとして用いる場合（１５）のマジックを（１２）のマジック止めに接続。
姿勢背部ベルトとして用いる場合（１５）マジックを（１３）のマジック止めに接続する。（１３）のマジック止めの左右から（９）（１０）の補強ベルトが接続され（１１）のマジックを（１７）のマジック止めに接続できる。
本発明は上記の構成よりなる姿勢背部、骨盤腰部ベルト一枚二役タスケである。
【発明の実地の形態】
【０００５】骨盤、腰、背中の上部中心部位をあてる（１）パットが設置され（１）から（４）（５）（６）（７）のベルトが一つの輪として形成されている。この（１）パットの下方から輪の中心を下方に下げる。（３）調整ベルトが（１４）ベルト通しの中を通り抜ける。骨盤、腰用として用いる場合（１５）もマジックを（１２）のマジック止めに接続する。このベルトを骨盤、腰に巻いて（１）のパットを骨盤、腰中心部にあて（４）（５）と（６）（７）のベルトを左右に引っ張り（８）のマジックを（１６）のマジック止めに接続する。
更に（９）（１０）の補強ベルトを左右に引っ張って（１１）のマジックを（１７）のマジック止めに接続する事で骨盤、腰の安定に役立つ。
姿勢背部ベルトとして用いる場合（１５）のマジックを（１３）のマジック止めに接続。調整ベルトが長くなる事で姿勢背部ベルトとして用いる事ができる。（３）の調整ベルトは背骨の中心にあてる様にする。装着方法は右腕を（４）（５）のベルトの間から入れて左腕は（６）（７）のベルトの間から入れて背中に背負う。（８）のマジック部位と（１６）のマジック止めを左右に引っ張り胸部に接続し（９）（１０）の補強ベルトは背部を伸ばすため（９）（１０）を下方に引っ張り丁度良い所で腹部（１１）マジックを（１７）のマジック止めに接続する。
姿勢背部、胸部、肋骨が固定され、激しい動きに対し安定保護に役立つ。
本発明は、上記の構造からなり、骨盤、腰ベルトとして使用する場合（３）の調整ベルトを短くし（１５）のマジックを（１２）のマジック止めに接続し姿勢背部ベルトとして使用する場合（３）の調整ベルトを長くし（１５）のマジックを（１３）のマジック止めに接続する。この様にベルト裏面の調整ベルトの長短調整する事で多目的一枚二役の役割を果たす事ができる。
【発明の効果】
【０００６】一枚のサポーターが姿勢背部ベルトと骨盤腰ベルトとして、装着できるベルトは見つからない。このベルトは裏面にある調整ベルトを調整する事で、姿勢背部や骨盤腰ベルトとして、用途に応じ早変わりできる。姿勢背部ベルトとして用いるとき、ほとんどの姿勢ベルトは、背部を重視しているが、このベルトは一度胸部を固定してから、背部を伸ばし補強ベルトで更に安定するので、良い姿勢につながる。また日常動作に置いて、背部に負担が加わる動作も多く健康維持や予防に役立つ、又二つのクッションパットは背部上部と背部下部の背骨を保護し負担を軽減する。
骨盤腰ベルトとして用いる時、ベルトが上下二つに分かれているので、中腰動作やしゃがみ動作などでベルトがズレにくく又骨盤腰部の中心に二つのクッションパットが負担や衝撃に対して役立つと考える。
本発明は上記の構成よりなる一枚二役タスケである。
【図面の簡単な説明】
【０００７】
【図１】本発明の骨盤腰用図。
【図２】本発明の骨盤腰用図（裏面）。
【図３】本発明の姿勢背部図。
【図４】本発明の姿勢背部図（裏面）。
【符号の説明】
【０００８】  １  上クッションパット
２  下クッションパット
３  調整ベルト
４  右上ベルト
５  右下ベルト
６  左上ベルト
７  左下ベルト
８  マジック
９  補強ベルト
１０  補強ベルト
１１  マジック
１２  マジック止め
１３  マジック
１４  ベルト通し
１５  マジック
１６  マジック止め
１７  マジック止め
【手続補正２】
【補正対象書類名】図面
【補正対象項目名】全図
【補正方法】追加
【補正の内容】
【図１】
2014087579.tif 000006
【図２】
2014087579.tif 000007
【図３】
2014087579.tif 000008
【図４】
2014087579.tif 000009